【手続補正書】
【提出日】平成26年8月4日(2014.8.4)
【手続補正１】
【補正対象書類名】明細書
【補正対象項目名】０００１
【補正方法】変更
【補正の内容】
【０００１】
本発明は、先に加熱操作され、続いて液体によって再冷却されたワークピースの乾燥技術、特に、好ましくは、例えばドリルビット、フライスまたはリーミング工具のような回転工具の軸の中心焼き嵌め用の工具ホルダ（いわゆる焼き嵌めチャック）の形態の多部品焼き嵌め結合部材の乾燥技術に関する。
【手続補正２】
【補正対象書類名】明細書
【補正対象項目名】０００７
【補正方法】変更
【補正の内容】
【０００７】
この以前の出願から知られる装置によって乾燥する場合は、急速で乱流のキャリヤガスの流れの主たる流れの方向が、基本的に、ワークピースの縦軸の方向に向けられている。このため、当然ながら、周囲溝または止めネジ用の孔ぐりなどの窪みの領域においては、比喩的に言えば、「ガス流れが当たらない帯域（lee zone）」が形成され（急速に流れる水流塊の場合には「停滞水域（dead water zone）」と呼称されるであろう）、その帯域内では、冷却液体の残渣が、ワークピースの回りを乱流として循環するキャリヤガスの流れによって同伴除去されることなく、乾燥サイクルの末期を超えて集積する可能性があるという結果が生じる。
【手続補正３】
【補正対象書類名】明細書
【補正対象項目名】００１１
【補正方法】変更
【補正の内容】
【００１１】
この目的を達成するため、本発明は、主請求項の特徴を有する装置を提供する。すなわち、先に液体の注液操作および／または加熱操作を受け、続いて液体によって再冷却されたワークピースを乾燥するための装置であって、そのワークピースは、その縦軸の回りに基本的に回転対称で、好ましくは工具チャックあるいは焼き嵌めチャックの形態に具現化されるワークピースの乾燥装置を提供する。この乾燥装置は、ワークピースあるいは工具チャックまたは焼き嵌めチャックの縦軸に沿う方向に空気流れを搬送するための、ワークピースを取り囲む少なくとも１つの空気ガイド装置と、ワークピースに半径方向の空気流れを導く少なくとも１つの吹付け器とを有することを特徴とする。
【手続補正４】
【補正対象書類名】明細書
【補正対象項目名】０１１９
【補正方法】変更
【補正の内容】
【０１１９】
明確にするために、極めて一般的には、本発明は、専らではなく好ましくは、工具チャックの乾燥装置、あるいはさらには（さらに特定すれば）焼き嵌めチャックの乾燥装置を対象にしていることを注記しておく。そのため、本明細書においてこれまでに「ワークピース」という用語を用いた箇所においてはどこでも、本発明のより限定された適用範囲のみに言及する場合は、「工具チャック」または「焼き嵌めチャック」という用語をも代替的に用いることができる。
【手続補正５】
【補正対象書類名】明細書
【補正対象項目名】０１２０
【補正方法】変更
【補正の内容】
【０１２０】
提案される主請求項の制限的な特徴とは無関係に、好ましくは焼き嵌めチャックの形態のワークピースであり、先に液体の注液操作を受けた（液体を注ぎかける操作を受けた）ワークピースであって、基本的にその縦軸の回りに回転対称であるワークピースの乾燥装置において、その装置が、上述のワークピースを包み込む少なくとも１つのフードまたは釣鐘体１０を有し、ワークピースを包み込むその釣鐘体１０の周囲の壁面には、少なくとも１つのスロットが設けられ、そのスロットから、半径方向の空気流れが、フードまたは釣鐘体の中に流入し、理想的には最初に、その法線に平行な方向（すなわち基本的には±１０°）においてワークピースの表面に吹き付けられ、あるいは、最初に、上記に規定するように斜めにワークピースの表面に吹き付けられる、ことを特徴とするワークピースの乾燥装置に対しても保護が請求されている。
【手続補正６】
【補正対象書類名】特許請求の範囲
【補正対象項目名】全文
【補正方法】変更
【補正の内容】
【特許請求の範囲】
【請求項１】
先に液体の注液操作を受けた好ましくは焼き嵌めチャックの形態であるワークピース（１８）であって、基本的に前記ワークピースの縦軸の回りに回転対称であるワークピース（１８）を乾燥する装置（１）において、前記装置（１）が、前記ワークピース（１８）を包み込む少なくとも１つの空気ガイド装置（１０）と少なくとも１つの吹付け器とを有し、前記空気ガイド装置が前記ワークピースの縦軸に沿う方向に空気流れを搬送するためのものであり、前記吹付け器が半径方向の空気流れを前記ワークピース（１８）に導くことを特徴とする装置（１）。
【請求項２】
前記空気ガイド装置（１０）が、少なくとも乾燥サイクルの間、前記ワークピース（１８）を収納する空気ガイド釣鐘体（１０）であり、前記空気ガイド釣鐘体（１０）によって形成される内部空間の直径は一定でないことを特徴とする請求項１に記載の装置。
【請求項３】
前記空気ガイド釣鐘体（１０）を貫通して流れる乾燥用空気の少なくとも一部分が、少なくとも１つの第１の開口（１２）から前記空気ガイド釣鐘体（１０）の中に流入し、前記第１の開口（１２）は、前記第１の開口を通って前記空気ガイド釣鐘体（１０）の中に流入する前記空気流れの一部分を、半径方向の空気流れの形態で乾燥対象ワークピースの表面に吹き付けるような方位に向けられることを特徴とする請求項１に記載の装置。
【請求項４】
前記少なくとも１つの開口（１２）から前記空気ガイド釣鐘体（１０）の中に流入する空気流れがエアナイフを形成し、前記エアナイフが、前記空気ガイド釣鐘体（１０）内に生じ基本的に乾燥対象ワークピースの表面に沿う縦方向に流れる空気流れに貫入し、かつ、前記少なくとも１つの開口（１２）から前記空気ガイド釣鐘体（１０）の中に流入する空気流れが、半径方向の空気流れの形態にて乾燥対象表面に吹き付けられるように、前記少なくとも１つの開口（１２）が具現化され、かつ供給されることを特徴とする請求項１に記載の装置。
【請求項５】
前記少なくとも１つの開口（１２）が細長いスロットの形態に具現化され、前記細長いスロットの縦軸が、前記空気ガイド釣鐘体（１０）の縦軸と共に平面を形成するか、または、前記細長いスリットの縦軸が、前記空気ガイド釣鐘体（１０）の縦軸の回りに、前記空気ガイド釣鐘体（１０）のそれぞれの局所的な周囲の線に対して、好ましくは２０°より大きいらせん角、理想的には４０°より大きいらせん角のらせん形態で延びることを特徴とする請求項１に記載の装置。
【請求項６】
前記空気ガイド釣鐘体（１０）が冷却用空気をガイドすることで、前記冷却用空気が、最初に乾燥対象ワークピースの表面に吹き付けられた後、基本的に前記ワークピースの縦軸に沿う方向に、冷却対象ワークピース（１８）を通過して流れ去ることを特徴とする請求項１〜５のいずれか一項に記載の装置。
【請求項７】
前記乾燥に用いられる空気流れ（４）が、基本的に閉じられた回路にてガイドされ、前記閉じられた回路は、好ましくはブロワまたはラジアルブロワの形に具現化される少なくとも１つのポンプ（２）と、前記ポンプ（２）の圧力側（５）および吸込み側（６）を連結する空気導管とから構成され、ワークピース受入れ区画（２３）を介在させることを特徴とする請求項１〜６のいずれか一項に記載の装置。
【請求項８】
前記空気ガイド釣鐘体（１０）が前記空気導管の内部に配置されることで、前記乾燥に用いられる空気流れ（４）の少なくとも一部分が、前記空気ガイド釣鐘体（１０）の外側に接するようにガイドされ、続いて、前記少なくとも１つの開口から前記空気ガイド釣鐘体（１０）の中に流入し、前記空気ガイド釣鐘体（１０）の内部を経て流出することを特徴とする請求項１〜７のいずれか一項に記載の装置。
【請求項９】
前記乾燥に用いられる空気（４）が吹き付けられる間、少なくとも一時的にその縦軸の回りに、好ましくは毎秒０．２５回転より大きい速度で回転するように前記空気ガイド釣鐘体（１０）が支持されかつ駆動されることを特徴とする請求項１〜８のいずれか一項に記載の装置。
【請求項１０】
前記ワークピース受入れ領域（２３）の上流側領域にて、前記空気ガイド釣鐘体（１０）が少なくとも１つの第２の開口（１１）を有し、前記少なくとも１つの第１の開口（１２）から前記空気ガイド釣鐘体（１０）の中に流入する空気流れの代わりとして、または前記空気流れに対する追加として、前記第２の開口（１１）から、基本的に縦方向に前記ワークピース（１８）の表面を通過して流れる別の空気流れが流入することを特徴とする請求項１〜９のいずれか一項に記載の装置。
【請求項１１】
前記空気ガイド釣鐘体（１０）が、その周囲の異なる位置に設けられる複数の第１の開口（１２）を有し、前記複数の第１の開口は、相互に別個にアクティブ化または非アクティブ化することが可能であることによって、空気流れが前記第１の開口（１２）から前記空気ガイド釣鐘体（１０）の中に流入することを可能にしまたは防止し、かつ、前記第１の開口（１２）は、好ましくは円運動が生じるようにアクティブ化または非アクティブ化されることを特徴とする請求項１〜１０のいずれか一項に記載の装置。
【請求項１２】
前記空気ガイド釣鐘体（１０）の外周が、前記空気ガイド釣鐘体（１０）に作用する空気流れに同時には接続されないか、あるいは、少なくとも連続的に同時にはこの空気流れに接続されない異なるチャンバと連絡することを特徴とする請求項１〜１１のいずれか一項に記載の装置。
【請求項１３】
前記空気ガイド釣鐘体（１０）の内面にスペーサ（３５）が取り付けられて、前記空気ガイド釣鐘体（１０）の中に挿入されるワークピース（１８）と前記空気ガイド釣鐘体（１０）の内面との間に、或る特定の最小空間が空所として残存することが保証され、前記スペーサ（３５）は好ましくは、縦方向に延びるか、あるいは前記内面に沿うらせんに沿って延びるいくつかのストリップ材（３６）を含むことを特徴とする請求項１〜１２のいずれか一項に記載の装置。
【請求項１４】
前記空気ガイド釣鐘体（１０）に、好ましくは、前記空気ガイド釣鐘体（１０）の上流側端部の表面領域上またはその領域内に装着される少なくとも１つの霧化器（１５）または噴霧器（１５）によって、空気／液体の分散体を作用させることができ、前記霧化器（１５）または噴霧器（１５）は、必要に応じて、前記空気ガイド釣鐘体の中に流入する空気流れに、微細に分散された冷却液体（２０）を含ませることを特徴とする請求項１〜１３のいずれか一項に記載の装置。